(57)【要約】【課題】端子ホルダを複数の端子から取り外す際の作業性を向上することができる連鎖端子を提供することを目的とする。【解決手段】連鎖端子１は、棒状に形成された複数の端子２と、帯状に形成され複数の端子２を当該端子２の延在方向と交差する交差方向に沿って並列に着脱可能に保持する端子ホルダ３とを備え、端子ホルダ３は、複数の端子２が圧入されるコネクタハウジング１０１の複数の圧入孔１０２の圧入孔ピッチＰ１と同等のピッチで複数の端子２を保持する複数の保持部３１と、当該端子ホルダ３を端子２から取り外す際に把持される把持部３４とを有することを特徴とする。これにより、連鎖端子１は、端子ホルダ３を複数の端子２から取り外す際の作業性を向上することができる。【選択図】図１
2016058356.tif 000002
【特許請求の範囲】
【請求項１】
棒状に形成された複数の端子と、
帯状に形成され前記複数の端子を当該端子の延在方向と交差する交差方向に沿って並列に着脱可能に保持する端子ホルダとを備え、
前記端子ホルダは、前記複数の端子が圧入されるコネクタハウジングの複数の圧入孔の圧入孔ピッチと同等のピッチで前記複数の端子を保持する複数の保持部と、当該端子ホルダを前記端子から取り外す際に把持される把持部とを有することを特徴とする、
連鎖端子。
【請求項２】
前記把持部は、前記保持部を基準として当該保持部に保持された状態の前記端子側とは反対側に延在する、
請求項１に記載の連鎖端子。
【請求項３】
前記把持部は、前記端子の延在方向に沿って延在し、当該延在方向の一方の端部に前記複数の保持部が前記交差方向に沿って配列され、当該延在方向の他方の端部が前記保持部に保持された状態の前記端子より前記保持部とは反対側に突出している、
請求項１又は請求項２に記載の連鎖端子。
【請求項４】
前記圧入孔は、前記コネクタハウジングのフード部の内側に形成され、
前記把持部は、前記端子の延在方向に沿った長さが、前記保持部に保持された状態の前記端子が前記圧入孔に挿入された状態で、当該把持部が前記フード部から外側に突出する長さに形成される、
請求項１乃至請求項３のいずれか１項に記載の連鎖端子。
【発明の詳細な説明】
【技術分野】
【０００１】
本発明は、連鎖端子に関する。
【背景技術】
【０００２】
従来の連鎖端子が適用されるコネクタとして、例えば、特許文献１には、線材からなる複数の端子を並列に保持した端子ホルダを押し込むことによって前記複数の端子の圧入が行われるコネクタが開示されている。
【先行技術文献】
【特許文献】
【０００３】
【特許文献１】特許第５２６３００３号公報
【発明の概要】
【発明が解決しようとする課題】
【０００４】
ところで、上述の特許文献１に記載のコネクタの製造方法では、端子ホルダにおける圧入方向後側の端面を押し込むことにより、複数の圧入孔の内部に複数の端子を一括して圧入し、その後、端子ホルダを端子から取り外すようにしているが、この端子ホルダを取り外す際の作業性の点で、更なる改善の余地がある。
【０００５】
本発明は、上記の事情に鑑みてなされたものであって、端子ホルダを複数の端子から取り外す際の作業性を向上することができる連鎖端子を提供することを目的とする。
【課題を解決するための手段】
【０００６】
上記目的を達成するために、本発明に係る連鎖端子は、棒状に形成された複数の端子と、帯状に形成され前記複数の端子を当該端子の延在方向と交差する交差方向に沿って並列に着脱可能に保持する端子ホルダとを備え、前記端子ホルダは、前記複数の端子が圧入されるコネクタハウジングの複数の圧入孔の圧入孔ピッチと同等のピッチで前記複数の端子を保持する複数の保持部と、当該端子ホルダを前記端子から取り外す際に把持される把持部とを有することを特徴とする。
【０００７】
また、上記連鎖端子では、前記把持部は、前記保持部を基準として当該保持部に保持された状態の前記端子側とは反対側に延在するものとすることができる。
【０００８】
また、上記連鎖端子では、前記把持部は、前記端子の延在方向に沿って延在し、当該延在方向の一方の端部に前記複数の保持部が前記交差方向に沿って配列され、当該延在方向の他方の端部が前記保持部に保持された状態の前記端子より前記保持部とは反対側に突出しているものとすることができる。
【０００９】
また、上記連鎖端子では、前記圧入孔は、前記コネクタハウジングのフード部の内側に形成され、前記把持部は、前記端子の延在方向に沿った長さが、前記保持部に保持された状態の前記端子が前記圧入孔に挿入された状態で、当該把持部が前記フード部から外側に突出する長さに形成されるものとすることができる。
【発明の効果】
【００１０】
本発明に係る連鎖端子は、複数の保持部によって複数の端子を保持する端子ホルダが把持部を有するので、当該端子ホルダを端子から取り外す際には当該把持部を把持して当該端子ホルダを取り外すことができる。この結果、この連鎖端子は、端子ホルダを複数の端子から取り外す際の作業性を向上することができる、という効果を奏する。
【図面の簡単な説明】
【００１１】
【図１】図１は、実施形態に係る連鎖端子の概略構成を表す斜視図である。
【図２】図２は、実施形態に係る連鎖端子の概略構成を表す部分平面図である。
【図３】図３は、実施形態に係る連鎖端子を用いたコネクタ製造方法を説明する斜視図である。
【図４】図４は、実施形態に係る連鎖端子を用いたコネクタ製造方法を説明する斜視図である。
【図５】図５は、実施形態に係る連鎖端子を用いたコネクタ製造方法を説明する断面図である。
【図６】図６は、実施形態に係る連鎖端子を用いたコネクタ製造方法を説明する斜視図である。
【図７】図７は、実施形態に係る連鎖端子を用いたコネクタ製造方法を説明する斜視図である。
【図８】図８は、実施形態に係る連鎖端子を用いたコネクタ製造方法を説明する断面図である。
【図９】図９は、変形例に係る連鎖端子の低強度部近傍の部分平面図である。
【図１０】図１０は、変形例に係る連鎖端子の低強度部近傍の部分平面図である。
【図１１】図１１は、実施形態に係る連鎖端子が適用されるコネクタの概略構成を表す斜視図である。
【図１２】図１２は、実施形態に係る連鎖端子が適用されるコネクタハウジングの正面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係る連鎖端子の概略構成を表す斜視図である。図２は、実施形態に係る連鎖端子の概略構成を表す部分平面図である。図３、図４、図６、図７は、実施形態に係る連鎖端子を用いたコネクタ製造方法を説明する斜視図である。図５、図８は、実施形態に係る連鎖端子を用いたコネクタ製造方法を説明する断面図である。図９、図１０は、変形例に係る連鎖端子の低強度部近傍の部分平面図である。図１１は、実施形態に係る連鎖端子が適用されるコネクタの概略構成を表す斜視図である。図１２は、実施形態に係る連鎖端子が適用されるコネクタハウジングの正面図である。
【００１４】
図１、図２、図３、図４、図５、図６、図７、図８に示す連鎖端子１は、コネクタ１００（図１１等参照）に適用される複数の端子２を、端子ホルダ３によって連鎖状に配列し保持することで、コネクタ１００の製造時等における各端子２の取り扱いを容易にし、作業性を向上させるものである。
【００１５】
ここでまず、図１１、図１２を参照して、連鎖端子１の端子２が適用されるコネクタ１００について説明する。コネクタ１００は、コネクタハウジング１０１と、端子２とを備え、いわゆる電線対電線接続用の接続機構や電線対基板用の接続機構等を構成するものである。コネクタ１００は、コネクタハウジング（雄ハウジング）１０１に形成された複数の圧入孔１０２に雄型の端子２が圧入されることで、当該コネクタハウジング１０１に端子２を保持する雄コネクタである。
【００１６】
コネクタハウジング１０１は、全体が絶縁性の合成樹脂材等で構成される。コネクタハウジング１０１は、フード部１０３と、隔壁部１０４とを含んで構成される。フード部１０３は、略矩形筒状に形成される。フード部１０３は、内部が中空状に形成されると共に筒状の軸線方向両端が開口している。隔壁部１０４は、フード部１０３の軸線方向中間部において、当該フード部１０３の中空状の内部を閉塞させる隔壁として形成される（図５等も参照）。隔壁部１０４は、フード部１０３の内部の空間部を接点側空間部１０５と接続側空間部１０６とに区画する（図５等も参照）。接点側空間部１０５は、フード部１０３の一方の開口と連通する空間部であり、端子２と電気的に接続される相手側端子（雌型の端子）を保持する相手側コネクタ（雌コネクタ）のコネクタハウジング（雌ハウジング）１０７が嵌合する空間部である。接続側空間部１０６は、フード部１０３の他方の開口と連通する空間部であり、端子２に接続される電線や基板等が位置する側の空間部である。この接続側空間部１０６側の開口は、端子２に電線や基板等が接続された状態でカバー部材等によって各端子２と共にカバーされる。コネクタハウジング１０１は、隔壁部１０４が接続側空間部１０６の開口側に寄せて設けられている（図５等も参照）。これにより、コネクタハウジング１０１は、接点側空間部１０５における開口から隔壁部１０４までの距離（奥行き）の方が相対的に長く（深く）、接続側空間部１０６における開口から隔壁部１０４までの距離（奥行き）の方が相対的に短く（浅く）なるように形成されている。そして、コネクタハウジング１０１は、当該隔壁部１０４に複数の圧入孔１０２が形成される。当該圧入孔１０２は、端子２を保持するキャビティと呼ばれることもある。各圧入孔１０２は、隔壁部１０４を貫通し、接点側空間部１０５と接続側空間部１０６とを連通する（図５等も参照）。ここでは、各圧入孔１０２は、矩形状の貫通孔として形成される。圧入孔１０２は、コネクタ１００が適用される機器で要求される仕様や使用状況等に応じた所定のピッチ、所定の数で形成される。ここでは、圧入孔１０２は、１１個を一列として、４段分、合計４４個形成されている（図１２等参照）。
【００１７】
端子２は、全体が導電性の金属材等で構成され、表面に導電性のめっき等が施されている。端子２は、棒状に形成された角形線材からなる線材端子である。端子２は、複数の圧入孔１０２の数に対応して複数設けられる。各端子２は、各圧入孔１０２の形状に対応した矩形柱状に形成される。つまり、各端子２は、端子２の延在方向（以下、「端子延在方向」という場合がある。）と直交する方向の断面形状が矩形状に形成される。各端子２は、図１等にも示すように、接点部２１と、接続部２２と、圧入係止部２３とを有する。各端子２は、一方の端部が相手側端子と接触する接点部２１を構成し、他方の端部が電線や基板等と接続され導通される接続部２２を構成する。そして、各端子２は、接点部２１と接続部２２との間に、圧入孔１０２に圧入され係止される圧入係止部２３が形成される。圧入係止部２３は、例えば、各端子２の外表面に形成された複数の凹部等によって構成される。各端子２は、各圧入孔１０２に挿入されると共に、各圧入孔１０２に圧入係止部２３が圧入され係止されることで、コネクタハウジング１０１に保持される。各端子２は、圧入係止部２３が各圧入孔１０２に圧入され係止された状態で、接点部２１が接点側空間部１０５内に露出すると共に、接続部２２が接続側空間部１０６から外側に突出する。なお、各端子２は、コネクタ１００が電線対基板用の接続機構、例えば、プリント回路基板（Ｐｒｉｎｔｅｄ  Ｃｉｒｃｕｉｔ  Ｂｏａｒｄ：ＰＣＢ）に適用されるＰＣＢコネクタである場合には、接続側空間部１０６から突出した接続部２２側が所定の方向に屈曲されて当該基板に接続される。
【００１８】
図１、図２、図３、図４、図５、図６、図７、図８に示す連鎖端子１は、上記のようなコネクタ１００を製造する際に適用される。具体的には、連鎖端子１は、上述で説明した複数の端子２と、端子ホルダ３とを備える。
【００１９】
端子ホルダ３は、帯状に形成され複数の端子２を端子延在方向と交差する交差方向としての連鎖方向に沿って並列に着脱可能に保持するものである。端子ホルダ３は、端子２を保持するキャリアと呼ばれることもある。端子ホルダ３は、全体が導電性の金属材、あるいは、絶縁性の合成樹脂材等で帯板形状に構成される。ここでは、端子延在方向とは、棒状に形成された端子２が延在する方向であり、連鎖方向とは、複数の端子２の並び方向である。典型的には、端子延在方向と連鎖方向とは、直交する。連鎖端子１は、帯状の端子ホルダ３に対して、各端子２の中心軸が端子ホルダ３の幅方向に沿い、かつ、複数の端子２が端子ホルダ３の長さ方向に所定間隔を隔てて並列的に保持される。
【００２０】
具体的には、端子ホルダ３は、保持部３１を有し、当該保持部３１によって各端子２が保持される。保持部３１は、めっきが施された端子２を保持する。本実施形態の保持部３１は、複数の端子２が圧入されるコネクタハウジング１０１の複数の圧入孔１０２の圧入孔ピッチＰ１（図１２等参照）と同等のピッチで複数の端子２を保持する。保持部３１は、種々の形式の構造を適用することができるが、ここでは、図１等に示すように、連鎖方向に対向する一対の保持爪３２、３３で各端子２を挟持して保持する構成としている。保持爪３２、３３は、端子延在方向、及び、連鎖方向に直交する方向に突出するようにして形成される。一対の保持爪３２、３３は、１つの端子２について２組ずつ設けられており、端子ホルダ３の連鎖方向に沿った両端辺にそれぞれ設けられている。
【００２１】
ここで、上述したように、圧入孔１０２は、コネクタ１００が適用される機器で要求される仕様や使用状況等に応じた所定のピッチ、所定の数で形成される。圧入孔ピッチＰ１は、図１２に示すように、隣接する圧入孔１０２の中心間の距離に相当する。より詳細には、後述するように、圧入孔ピッチＰ１は、複数の端子２を各圧入孔１０２に一括で挿入する列において、圧入孔１０２の並び方向に沿って隣接する圧入孔１０２の並び方向に沿った中心間の距離に相当する。以下の説明では、図１２に向かって左右方向を一列として、一括で複数の端子２を各圧入孔１０２に挿入する場合を説明する。つまり、図１２の例では、図１２に向かって左右方向が列方向、図１２に向かって上下方向が段方向となる。この場合、圧入孔ピッチＰ１は、当該、図１２に向かって左右方向（列方向）に隣接する圧入孔１０２の当該左右方向に沿った中心間距離に相当する。ここでは、圧入孔ピッチＰ１は、各列各段においてほぼ同等となっている。
【００２２】
一方、端子ホルダ３に保持される複数の端子２のピッチである端子ピッチＰ２は、図１、図２に示すように、隣接する端子２の中心間の距離に相当する。より詳細には、端子ピッチＰ２は、保持部３１に各端子２が保持された状態で、端子延在方向と直交する連鎖方向に沿って隣接する端子２の当該連鎖方向に沿った中心間の距離に相当する。各保持部３１は、当該端子ピッチＰ２が圧入孔ピッチＰ１と同等になるように各端子２を保持する。ここでは、端子ピッチＰ２は、隣接する各端子２間でほぼ同等となっている。各保持部３１は、各端子２が連鎖方向と直交する方向とほぼ平行となるように当該各端子２を保持し、したがってこれにより、連鎖方向と端子延在方向とがほぼ直交した方向となる。
【００２３】
また、端子ホルダ３は、コネクタハウジング１０１に形成された複数の圧入孔１０２の一列分の数と同等の数の端子２の群を保持する。つまり、複数の保持部３１は、複数の圧入孔１０２の一列分の数と同等の数の端子２を１つの群（以下、「端子群」という場合がある。）として保持する。さらに言えば、複数の保持部３１は、複数の端子２が圧入されるコネクタハウジング１０１の複数の圧入孔１０２の圧入孔ピッチＰ１と同等のピッチで、かつ、複数の圧入孔１０２の一列分の数（ここでは１１個）と同等の数の端子２を１つの端子群として保持する。なおここでは、端子ホルダ３は、圧入係止部２３を挟んで接点部２１側で各端子２を保持するものとして図示しているが、圧入係止部２３を挟んで接点部２１とは反対側の接続部２２側で各端子２を保持するものでもよい。
【００２４】
そして、本実施形態の端子ホルダ３は、さらに、把持部３４を有し、当該把持部３４によって端子ホルダ３を複数の端子２から取り外す際の作業性の向上を図っている。把持部３４は、当該端子ホルダ３を端子２から取り外す際に把持される部分である。本実施形態の把持部３４は、矩形板状に形成される。把持部３４は、保持部３１を基準として当該保持部３１に保持された状態の端子２側とは反対側に延在する。
【００２５】
より具体的には、把持部３４は、端子２の延在方向に沿って延在する。把持部３４は、当該延在方向の一方の端部に複数の保持部３１が交差方向に沿って配列され、当該延在方向の他方の端部が保持部３１に保持された状態の端子２より保持部３１とは反対側に突出している。把持部３４は、端子延在方向に沿った長さが、保持部３１に保持された状態の端子２が圧入孔１０２に挿入された状態で、当該把持部３４がフード部１０３から外側に突出する長さに形成される（図４等参照）。
【００２６】
端子ホルダ３は、保持部３１、把持部３４等を含む全体が一体的に形成される。端子ホルダ３は、例えば、プレス・切断加工等で保持部３１を構成する保持爪３２、３３が形成された後、当該保持部３１を折り曲げて、曲げ加工で端子延在方向の他方の端部に折返し部３５を形成する。折返し部３５は、各保持部３１に保持された端子２の端子延在方向、及び、連鎖方向に直交する方向の位置を適正な位置に調整する部位としても機能する。すなわち、端子ホルダ３は、端子延在方向の一方の端部に形成された折返し部３５が各保持部３１に保持された各端子２と把持部３４の本体部分との間に介在することで、各端子２を把持部３４の本体部分から折返し部３５の分だけ浮かせた位置に保持することができる。これにより、端子ホルダ３は、各端子２の接点部２１側が把持部３４の本体部分と接触し損傷することを抑制することができる。
【００２７】
次に、図３、図４、図５、図６、図７、図８を参照して、連鎖端子１を用いたコネクタ製造方法を説明する。以下で説明するコネクタ製造方法は、作業員によって手作業で行われるものとして説明する。
【００２８】
まず、作業員は、図３に示すように、仮挿入工程として、端子ホルダ３に保持されている複数の端子２を、端子圧入方向に沿ってコネクタハウジング１０１の複数の圧入孔１０２に一括で仮挿入する。この場合、作業員は、端子ホルダ３に保持されている複数の端子２の接続部２２側を、コネクタハウジング１０１の接点側空間部１０５側から、一列分の圧入孔１０２に一括で仮挿入する。図４、図５は、端子ホルダ３に保持されている複数の端子２の接続部２２側を一列分の圧入孔１０２に一括で仮挿入した状態を表している。
【００２９】
次に、作業員は、取り外し工程として、端子ホルダ３に保持されている複数の端子２を圧入孔１０２に仮挿入した状態から、図６に示すように、端子ホルダ３を端子圧入方向とは反対方向の端子反圧入方向に沿って引き出しながら端子ホルダ３を複数の端子２から取り外す。この場合、作業員は、接点側空間部１０５側から端子ホルダ３の把持部３４を把持して当該把持部３４と共に端子ホルダ３を端子反圧入方向に沿って引き出しながら各端子２をそれぞれはずすことで、端子ホルダ３を容易に端子２から外すことができる。図７、図８は、端子ホルダ３を複数の端子２から取り外した状態を表している。
【００３０】
その後、作業員は、圧入工程として、種々の圧入治具を用いて、圧入孔１０２に仮挿入されている端子２を、接点部２１側から端子圧入方向に沿って押圧し、各端子２の圧入係止部２３が各圧入孔１０２に圧入嵌合され、当該各圧入孔１０２に係止されるまで押圧する。作業員は、各端子２の圧入係止部２３が各圧入孔１０２に圧入嵌合されたら圧入治具を取り外す。作業員は、複数の圧入孔１０２の全段に対して上記の工程を繰り返し行い、最終的にコネクタ１００を完成させる。図１１は、当該コネクタ製造方法によって製造されたコネクタ１００の一例である。
【００３１】
なお、圧入工程は、全ての段の端子２の仮挿入が完了した後に全段一括で行うようにしてもよい。また、作業員は、コネクタ１００がＰＣＢコネクタである場合には、接続側空間部１０６から突出した各端子２の接続部２２側を所定の方向に屈曲させることで当該ＰＣＢコネクタを完成させる。
【００３２】
以上で説明した連鎖端子１によれば、棒状に形成された複数の端子２と、帯状に形成され複数の端子２を当該端子２の延在方向と交差する交差方向に沿って並列に着脱可能に保持する端子ホルダ３とを備え、端子ホルダ３は、複数の端子２が圧入されるコネクタハウジング１０１の複数の圧入孔１０２の圧入孔ピッチＰ１と同等のピッチで複数の端子２を保持する複数の保持部３１と、当該端子ホルダ３を端子２から取り外す際に把持される把持部３４とを有する。
【００３３】
したがって、連鎖端子１は、複数の保持部３１によって複数の端子２を保持する端子ホルダ３が把持部３４を有するので、当該端子ホルダ３を端子２から取り外す際には当該把持部３４を把持して当該端子ホルダ３を取り外すことができる。すなわち、作業員等は、端子ホルダ３の把持部３４を把持して当該把持部３４と共に端子ホルダ３を引き出しながら各端子２を外すことで、端子ホルダ３を容易に端子２から外すことができる。この結果、この連鎖端子１は、端子ホルダ３を複数の端子２から取り外す際の作業性を向上することができる。
【００３４】
さらに、以上で説明した連鎖端子１によれば、把持部３４は、保持部３１を基準として当該保持部３１に保持された状態の端子２側とは反対側に延在する。したがって、連鎖端子１は、端子２を圧入孔１０２に圧入する際や各端子２から端子ホルダ３を取り外す際等に確実に把持部３４を把持して端子ホルダ３を取り扱うことができるので、作業性をさらに向上することができる。
【００３５】
さらに、以上で説明した連鎖端子１によれば、把持部３４は、端子２の延在方向に沿って延在し、当該延在方向の一方の端部に複数の保持部３１が交差方向に沿って配列され、当該延在方向の他方の端部が保持部３１に保持された状態の端子２より保持部３１とは反対側に突出している。したがって、連鎖端子１は、保持部３１に保持されている各端子２の端部と把持部３４とが干渉することを抑制することができ、端子ホルダ３を各端子２から取り外す際に確実に把持部３４を把持して端子ホルダ３を引き出すことができるので、端子ホルダ３を複数の端子２から取り外す際の作業性をさらに向上することができる。
【００３６】
さらに、以上で説明した連鎖端子１によれば、圧入孔１０２は、コネクタハウジング１０１のフード部１０３の内側に形成され、把持部３４は、端子２の延在方向に沿った長さが、保持部３１に保持された状態の端子２が圧入孔１０２に挿入された状態で、当該把持部３４がフード部１０３から外側に突出する長さに形成される。したがって、この連鎖端子１は、保持部３１に保持された状態の端子２が圧入孔１０２に挿入された状態で把持部３４がコネクタハウジング１０１のフード部１０３の外側に露出するので、フード部１０３を有するコネクタハウジング１０１に端子２を組み付けた場合であっても、端子ホルダ３を複数の端子２から取り外す際の作業性を向上することができる。
【００３７】
ここで、上述したようにコネクタハウジング１０１は、接点側空間部１０５における開口から隔壁部１０４までの距離の方が相対的に長く、接続側空間部１０６における開口から隔壁部１０４までの距離の方が相対的に短くなるように形成されている。このとき、上記で説明したように、端子ホルダ３を端子２から取り外す際に、接点側空間部１０５側から、すなわち、隔壁部１０４までの距離が相対的に長い側の開口から端子ホルダ３を取り外すような構成であっても、本実施形態の連鎖端子１であれば、延在方向に沿って突出した把持部３４を把持して容易に端子ホルダ３を引き出すことができる。この点でも、この連鎖端子１は、端子ホルダ３を複数の端子２から取り外す際の作業性を向上することができる。
【００３８】
なお、上述した本発明の実施形態に係る連鎖端子は、上述した実施形態に限定されず、特許請求の範囲に記載された範囲で種々の変更が可能である。
【００３９】
図９に示す変形例に係る連鎖端子１Ａは、端子２が押圧力伝達突起部２２４を備えている。押圧力伝達突起部２２４は、例えば、各端子２の外表面に形成された突起等によって構成される。押圧力伝達突起部２２４は、各端子２の外表面から端子延在方向と直交する方向に沿って突出している。押圧力伝達突起部２２４は、各端子２において、接点部２１側の端部と圧入係止部２３との間に形成される。押圧力伝達突起部２２４は、各端子２が各保持部３１の保持爪３２、３３に挟持された状態で、保持爪３２、３３に当接する位置に形成される。押圧力伝達突起部２２４は、各端子２が各保持部３１の保持爪３２、３３に挟持された状態で、保持爪３２、３３の圧入係止部２３側の面（言い換えれば、圧入孔１０２が位置する側の面）に当接する。
【００４０】
上記のように構成される連鎖端子１Ａは、各端子２を圧入孔１０２に圧入する際に、例えば、圧入治具を用いなくても、端子ホルダ３から押圧力伝達突起部２２４を介して各端子２に直接的に圧入に要する押圧力を伝達することができる。この結果、連鎖端子１Ａは、各端子２を圧入孔１０２に圧入する際の作業工数を低減することができ、作業性をさらに向上することができる。
【００４１】
また、図１０に示す変形例に係る連鎖端子１Ｂは、端子ホルダ３が有する把持部３３４がＴ字型板状に形成される。より具体的には、把持部３３４は、端子２の延在方向に沿って延在する。把持部３３４は、当該延在方向の一方の端部に複数の保持部３１が交差方向に沿って配列され、当該延在方向の他方の端部が保持部３１に保持された状態の端子２より保持部３１とは反対側に突出している。そして、この把持部３３４は、保持部３１が配列された端子延在方向の一方の端部に対して、端子延在方向の他方の端部が棒状の棒状部３３４ａとして突出することで、Ｔ字型板状を形成している。
【００４２】
上記のように構成される連鎖端子１Ｂは、端子ホルダ３を端子２から取り外すべく把持部３３４を把持する際に当該把持部３３４の棒状部３３４ａを把持することができ、作業員が当該把持部３３４を把持しやすい構成とすることができるので、端子ホルダ３を複数の端子２から取り外す際の作業性をさらに向上することができる。
【００４３】
なお、以上の説明では、端子延在方向と連鎖方向（交差方向）とは直交するものとして説明したがこれに限らず、交差していればよい。
【００４４】
以上で説明した保持部は、連鎖方向に対向する一対の保持爪３２、３３で各端子２を挟持して保持するものとして説明したがこれに限らず、他の形式の構成であってもよい。
【００４５】
以上で説明した複数の端子２を各圧入孔１０２に一括で挿入する列方向については任意に設定さればよい。例えば、複数の圧入孔１０２は、図１２に向かって上下方向を一列として、一括で複数の端子２が挿入されてもよい。この場合、図１２に向かって上下方向が列方向、図１２に向かって左右方向が段方向となり、圧入孔ピッチＰ１は、当該図１２に向かって上下方向（列方向）に隣接する圧入孔１０２の当該上下方向に沿った中心間距離に相当することとなる。この場合、複数の圧入孔１０２において、図１２に向かって上下方向を一列として一括で複数の端子２を各圧入孔１０２に挿入することから、端子ホルダ３は、複数の圧入孔１０２の一列分の数と同等の端子２、すなわち４個の端子２を１つの端子群として保持することとなる。
【００４６】
また、以上の説明では、圧入孔ピッチＰ１は、各列各段においてほぼ同等となっており、端子ピッチＰ２は、隣接する各端子２間でほぼ同等となっているものとして説明したがこれに限らない。例えば、圧入孔ピッチＰ１は、複数の圧入孔１０２において各段ごとに相互に異なっていてもよい。この場合、連鎖端子１は、例えば、各段ごとの圧入孔ピッチＰ１に応じた端子ピッチＰ２のものをそれぞれ用意すればよい。また、圧入孔ピッチＰ１は、複数の圧入孔１０２において各列の中でも相互に異なっていてもよい。この場合、端子ホルダ３の保持部３１は、異なる圧入孔ピッチＰ１に対応して端子ピッチＰ２が端子２の位置に応じて異なるように当該各端子２を保持するように配置されればよい。
【符号の説明】
【００４７】
１、１Ａ、１Ｂ    連鎖端子
２    端子
３    端子ホルダ
３１    保持部
３４、３３４    把持部
３５    折返し部
２２４    押圧力伝達突起部
１００    コネクタ
１０１    コネクタハウジング
１０２    圧入孔
１０３    フード部
【図１】
2016058356.tif 000003
【図２】
2016058356.tif 000004
【図３】
2016058356.tif 000005
【図４】
2016058356.tif 000006
【図５】
2016058356.tif 000007
【図６】
2016058356.tif 000008
【図７】
2016058356.tif 000009
【図８】
2016058356.tif 000010
【図９】
2016058356.tif 000011
【図１０】
2016058356.tif 000012
【図１１】
2016058356.tif 000013
【図１２】
2016058356.tif 000014